(57)【特許請求の範囲】
【請求項１】
半円筒状の転動部が先端に設けられ、該転動部が一定の間隔をあけて配置される一対の転動体と、両側面および両相対面が平行な直方体形状もしくは立方体形状または両側面がハ字状で両相対面が平行な台形状に形成され、両側面が一対の転動体の転動部に挟まれ、該転動部の転動によって転動部の回転軸に対して直交する向きに往復動する可動駒と、中間部が前記可動駒の各相対面に当接し、両端部が可動駒の各側面から突出して各転動体と重なり合って前記一対の転動体を転動自在に連結する連結体とが備えられ、前記可動駒が前記一対の転動体の転動部間を往復動することで転動体が揺動する蝶番によって、２枚のパネル体が連結され、該２枚のパネル体は、２本の縦枠と該縦枠の上端部に架け渡された上枠で囲まれた枠内で、直線状に並んだ状態に閉扉し、また、重ね合わされた状態に開扉する折戸のドアであって、
前記一方のパネル体の基端側が前記一方の縦枠に揺動自在に取り付けられ、他方のパネル体の先端側が拘束されず、両方のパネル体の各対向側端面が一定の間隔を空けて対向し、各対向側端面の少なくとも上下両端部に前記蝶番の転動部を突出させるように転動体が固定され、該両転動部の転動体の回転中心と前記連結体の各端部とに連通する連通孔が形成され、軸を突出した遮蔽体が各パネル体の各対向側端面の間隔を塞ぎ、該遮蔽体の軸が前記連結体および転動体の連通孔に挿入され、蝶番と遮蔽体とが連結されていることを特徴とするドア。
【請求項２】
半円筒状の転動部が先端に設けられ、該転動部が一定の間隔をあけて配置される一対の転動体と、両側面および両相対面が平行な直方体形状もしくは立方体形状または両側面がハ字状で両相対面が平行な台形状に形成され、両側面が一対の転動体の転動部に挟まれ、該転動部の転動によって転動部の回転軸に対して直交する向きに往復動する可動駒と、中間部が前記可動駒の各相対面に当接し、両端部が可動駒の各側面から突出して各転動体と重なり合って前記一対の転動体を転動自在に連結する連結体とが備えられ、前記可動駒が前記一対の転動体の転動部間を往復動することで転動体が揺動する蝶番によって、２つのパネル体が連結され、一方のパネル体は、壁であり、他方のパネル体は、両方向に開閉可能に一方のパネル体に連結された両開きのドアであって、
他方のパネル体の対向側端面が一定の間隔を空けて一方のパネル体に対向し、他方のパネル体の対向側端面の少なくとも上下両端部に前記蝶番の転動部を突出させるように他方の転動体が固定され、該転動体と対峙するように蝶番の他方の転動体が一方のパネル体に固定され、該両方の転動体の回転中心と前記連結体の各端部とに連通する連通孔が形成され、軸を突出した遮蔽体が各パネル体の間隔を塞ぎ、該遮蔽体の軸が前記連結体および転動体の連通孔に挿入され、蝶番と遮蔽体とが連結されていることを特徴とするドア。
【請求項３】
前記パネル体は、対向側端面が樋形状に形成され、
前記遮蔽体は、各パネル体の対向面に嵌る一対の円筒体または円柱体を側面で接合したものであることを特徴とする請求項１または２に記載のドア。
【請求項４】
開扉したパネル体を自動的に閉扉させるためのバネが前記転動体および／または可動駒と前記連結体との間に備えられていることを特徴とする請求項１ないし３のいずれか一つに記載のドア。
【請求項５】
前記可動駒の両側面には、ラックが形成され、かつ、前記一対の転動体には、該ラックと噛合するピニオンが形成されてなることを特徴とする請求項１ないし４のいずれか一つに記載のドア。
【請求項６】
前記可動駒と連結体の連結板との各接合面には、スライド自在な嵌合部が設けられてなることを特徴とする請求項１から５のいずれか一つに記載のドア。
【発明の詳細な説明】
【技術分野】
【０００１】
本発明は、２枚のパネル体が蝶番によって連結されているドアに関し、詳しくは、パネル体が両方向に折れ曲がる折戸のようなドア、または、一方のパネル体が固定され、他方のパネル体が固定されたパネル体の表裏両面に重なるように回転する両開きのドアに関する。
【背景技術】
【０００２】
折戸のようなドアは、２枚の扉が蝶番に連結されることによって開閉する。例えば、特許文献１に開示されたドアは、図１２ないし図１４に示すように、２枚の扉１００，１００が突き合う側端面に蝶番１１０，１１０が取り付けられている。各扉１００は、矩形板状の中実なパネル体１０１と、このパネル体１０１の一端（壁）側に固定されたフレーム１０２とを有し、他端（内）側に支柱体１１１が固定されている。
【０００３】
このような扉１００に取り付けられる蝶番１１０は、前記支柱体１１１と、図１３に示すように、この支柱体１１１それぞれの上端および下端に固着された平歯車１１２と、付き合わされて対向する一対の平歯車１１２，１１２同士を噛合させる連結板１１３とを備えている。
【０００４】
また、各支柱体１１１がパネル体１０１と接合する取付け面には、図１４に示すように、２本の突起条１１１ａ，１１１ａが鉛直方向に突設され、パネル体１０１が支柱体１１１と接合する取付け面には、２本の溝１０１ａ，１０１ａが形成されている。この２本の突起条１１１ａ，１１１ａと２本の溝１０１ａ，１０１ａとが嵌合し、さらに支柱体１１１からパネル体１０１にビス１０３がねじ込まれることにより、両者１１１，１０１が固定される。こうすることにより、パネル体１０１が木製で湿気などによって収縮しても、各平歯車１１２が捩れることなくスムーズに噛合するようにされている。
【０００５】
【特許文献１】特許第２７２８６４２号公報
【発明の開示】
【発明が解決しようとする課題】
【０００６】
特許文献１に開示された蝶番１１０は、開扉したときに、２枚のパネル体１０１が完全に重なり合うようにするため、平歯車１１２の外径がパネル体１０１の板厚よりも大きく、歯が食み出ている。しかし、平歯車１１２の歯がパネル体１０１から食み出ることにより、塵埃などが一対の平歯車１１２，１１２の間に入り、扉１００，１００がスムーズに開閉できなくなることがある。また、平歯車１１２は、耐久性に優れているとはいえず、折戸のように重量のある扉１００，１００が長期間開閉されていると、疲労し、破壊することもある。
【０００７】
さらに、支柱体１１１とパネル体１０１とには、２本の突起条１１１ａ，１１１ａと２本の溝１０１ａ，１０１ａとが形成されている。しかし、これら１１１ａ，１０１ａを形成する作業が面倒であるだけでなく、両者１１１ａ，１０１ａを嵌合しなければならないなど容易に取り付けることができない。
【０００８】
そして、パネル体１０１に固定されている支柱体１１１は、半円柱形状に形成されて向き合っているため、この支柱体１１１に指などが触れられていると、開扉するときに、指などが一対の支柱体１１１，１１１間に巻き込まれ、怪我をする虞がある。また、対向している支柱体１１１，１１１には、隙間が生じているため、このドアをトイレやシャワー室、更衣室などに使用することは適切でない。
【０００９】
そこで、本発明は、蝶番がパネル体から食み出ることなく、そして耐久性や取付け作業性に優れ、さらに、２枚のパネル体が指などを巻き込まず、また、２枚のパネル体間に隙間が生じないようにしたドアを提供することを課題とする。
【課題を解決するための手段】
【００１０】
本発明に係るドアは、半円筒状の転動部が先端に設けられ、該転動部が一定の間隔をあけて配置される一対の転動体と、両側面および両相対面が平行な直方体形状もしくは立方体形状または両側面がハ字状で両相対面が平行な台形状に形成され、両側面が一対の転動体の転動部に挟まれ、該転動部の転動によって転動部の回転軸に対して直交する向きに往復動する可動駒と、中間部が前記可動駒の各相対面に当接し、両端部が可動駒の各側面から突出して各転動体と重なり合って前記一対の転動体を転動自在に連結する連結体とが備えられ、前記可動駒が前記一対の転動体の転動部間を往復動することで転動体が揺動する蝶番によって、２枚のパネル体が連結され、該２枚のパネル体は、２本の縦枠と該縦枠の上端部に架け渡された上枠で囲まれた枠内で、直線状に並んだ状態に閉扉し、また、重ね合わされた状態に開扉する折戸のドアであって、前記一方のパネル体の基端側が前記一方の縦枠に揺動自在に取り付けられ、他方のパネル体の先端側が拘束されず、両方のパネル体の各対向側端面が一定の間隔を空けて対向し、各対向側端面の少なくとも上下両端部に前記蝶番の転動部を突出させるように転動体が固定され、該両転動部の転動体の回転中心と前記連結体の各端部とに連通する連通孔が形成され、軸を突出した遮蔽体が各パネル体の各対向側端面の間隔を塞ぎ、該遮蔽体の軸が前記連結体および転動体の連通孔に挿入され、蝶番と遮蔽体とが連結されていることを特徴としている。
【００１１】
このドアによれば、一定の間隔を空けられた２枚のパネル体の対向側端面が、蝶番に備えられた各転動体に固定されていることにより、２枚のパネル体は折戸のようなドアとして使用される。このドアが折戸として使用される場合において、各パネル体の一方の面同士が重なり合って開扉しているときは、一対の転動体が可動駒の一端側に位置しており、各パネル体が蝶番を挟んで一直線に並んで閉扉しているときは、一対の転動体が可動駒の中間に位置しており、各パネル体の他方の面同士が重なり合って前記と反対方向に開扉しているときは、一対の転動体が可動駒の他端側に位置している。換言すれば、パネル体が開閉することによって、可動駒が一対の転動体間を移動する。
【００１２】
また、前記と異なる本発明に係るドアは、半円筒状の転動部が先端に設けられ、該転動部が一定の間隔をあけて配置される一対の転動体と、両側面および両相対面が平行な直方体形状もしくは立方体形状または両側面がハ字状で両相対面が平行な台形状に形成され、両側面が一対の転動体の転動部に挟まれ、該転動部の転動によって転動部の回転軸に対して直交する向きに往復動する可動駒と、中間部が前記可動駒の各相対面に当接し、両端部が可動駒の各側面から突出して各転動体と重なり合って前記一対の転動体を転動自在に連結する連結体とが備えられ、前記可動駒が前記一対の転動体の転動部間を往復動することで転動体が揺動する蝶番によって、２つのパネル体が連結され、一方のパネル体は、壁であり、他方のパネル体は、両方向に開閉可能に一方のパネル体に連結された両開きのドアであって、他方のパネル体の対向側端面が一定の間隔を空けて一方のパネル体に対向し、他方のパネル体の対向側端面の少なくとも上下両端部に前記蝶番の転動部を突出させるように他方の転動体が固定され、該転動体と対峙するように蝶番の他方の転動体が一方のパネル体に固定され、該両方の転動体の回転中心と前記連結体の各端部とに連通する連通孔が形成され、軸を突出した遮蔽体が各パネル体の間隔を塞ぎ、該遮蔽体の軸が前記連結体および転動体の連通孔に挿入され、蝶番と遮蔽体とが連結されていることを特徴としている。
このように一方のパネル体が壁のように使用される場合においては、この壁側のパネル体を固定している転動体上を可動駒が公転し、この可動駒上を他方の転動体が公転することにより、他方のパネル体が開閉される。したがって、この場合は、他方の転動体およびパネル体が可動駒を介して、固定されている一方の転動体およびパネル体を中心に３６０°公転する。
【００１３】
また、前記２つの本発明に係るドアによれば、蝶番の転動体から両連結体の両端部に形成された連通孔に、遮蔽体に突設された軸が挿入されることにより、蝶番と遮蔽体とが安定した状態で連結される。そして、蝶番の転動体にパネル体が固定されていることから、パネル体は、軸を回転中心として開閉する。
このように、転動体が可動駒上を揺動することによって、パネル体が開閉されるが、各パネル体の間は、蝶番に支持された遮蔽体によって開閉のいずれの状態であっても塞がれて隙間が生じず、しかも、この遮蔽体が回転しないことにより、指などがパネル体間に巻き込まれることがないようにされている。
【００１４】
また、前記本発明に係るドアにおいて、前記パネル体は、対向側端面が樋形状に形成され、前記遮蔽体は、各パネル体の対向面に嵌る一対の円筒体または円柱体を側面で接合したものであることが好ましい。
【００１５】
このドアによれば、パネル体の対向側端面が樋形状に形成され、遮蔽体がパネル体の対向側端面に嵌る一対の円筒体または円柱体を側面で接合したものとされ、この接合している部分が括れていることにより、パネル体の対向側端面の各端縁がこの円筒体または円柱体の接合している部分に食い込んで開扉される。なお、一対の円筒体または円柱体の側面の接合は、溶接などによって一体化されていてもよいし、分離可能に当接しているだけでもよい。
【００１８】
また、前記本発明に係るドアにおいて、開扉したパネル体を自動的に閉扉させるためのバネが前記転動体および／または可動駒と前記連結体との間に備えられていることが好ましい。
【００１９】
このドアによれば、開扉したパネル体を自動的に閉扉させるためのバネが転動体および／または可動体との間に備えられていることにより、外力が加えられ、開扉すると、バネが捩られ、圧縮され、または引っ張られるが、外力が加えられなくなることにより、バネの復元力によって自動的に閉扉する。なお、バネは、捩りバネ、圧縮バネあるいは引張りバネなど種類を限定するものではない。
【００２０】
また、前記本発明に係るドアにおいて、前記可動駒の両側面には、ラックが形成され、かつ、前記一対の転動体には、該ラックと噛合するピニオンが形成されてなることが好ましい。
【００２１】
このドアによれば、可動駒に形成されたラックと転動体に形成されたピニオンとが噛合することにより、転動体は可動駒上を滑ることなく転動し、また、可動駒は転動体間を滑ることなく往復動して、パネル体が開閉する。
【００２２】
また、前記本発明に係るドアにおいて、前記可動駒と連結体の連結板との各接合面には、スライド自在な嵌合部が設けられてなることが好ましい。
【００２３】
このドアによれば、可動駒と連結体の連結板の各接合面に設けられた嵌合部が嵌合することにより、可動駒がこの嵌合部に案内されながら連結体間を相対的に移動するだけでなく、一方の転動体から可動駒に加えられる荷重は、一旦、嵌合部に加えられ、嵌合部が緩衝材となり、他方の転動体には小さな荷重が加えられる。このため、転動体の外周面にピニオンが形成されていても、ピニオンには大きな衝撃力が加えられず、破損しないようにすることができる。なお、嵌合部は、１本または複数本の突条と溝とによって形成されていることが好ましい。
【発明の効果】
【００２４】
本発明に係るドアによれば、２枚のパネル体を連結する蝶番が一対の転動体と可動駒と連結体とを備えたものとされることにより、汎用性を有するものとすることができる。また、この蝶番の転動体とパネル体とを容易に連結することができる。したがって、この蝶番を備えたドアのコストダウンを図ることができる。
【００２５】
そして、各パネル体の間隔が前記蝶番に支持された遮蔽体によって塞がれるため、ドアの開閉に際して、各パネル体の間に指などが巻き込まれることがなく、安全性を向上させることができる。さらに、遮蔽体によって各パネル体の間に隙間が生じないため、このドアは、トイレや、シャワー室、更衣室などでも使用することができ、用途を拡大することができる。
【発明を実施するための最良の形態】
【００２６】
本発明に係るドアの実施形態について図１から図１１を参照しながら説明する。このドアは、図１に示すように、一定の間隔が空けられた２枚の扉１１，１２が蝶番２０によって連結され、そして、２枚の扉１１，１２間が遮蔽体４０によって塞がれた折戸であり、鉛直姿勢に立設された２本の縦枠１，１と、この縦枠１，１の上端部に水平姿勢に架け渡された上枠２で囲まれた枠内を開閉する。上枠２の下面には、吊りレール３が固定されている。
【００２７】
扉１１，１２は、開閉しやすいように、幅の比が１：２とされている。ただし、使用状況に応じて、扉１１，１２の幅の比は１：１であってもよい。いずれにしても、各扉１１，１２は、図４に示すように、１枚の板状のパネル体１０によって構成され、対向側端面１０ａが樋形状に成形され、上下両端部の２か所（上端部のみ図示する。）に蝶番２０が取り付けられている。この蝶番２０は、必要に応じて中間部にも取り付けられる。また、蝶番２０は、図示したような端縁ではなく、端縁から内寄りに取り付けられてもよい。
【００２８】
そして、遮蔽体４０は、扉１１，１２の樋形状の対向側端面１０a，１０ａに嵌る一対の円筒体または円柱体４１，４１を側面で接合したもので、平面視が８字形状に形成されている。一対の円筒体または円柱体４１，４１は、溶接などによって一体化されていてもよいし、分離可能に当接しているだけでもよい。いずれにしても、円柱体４１，４１が接合した部分は、括れた形状となっている。さらに、各円柱体４１，４１の端面には、蝶番２０に連結されるようにするための軸４２，４２が各扉１１，１２の回転中心の位置に突設され、円環状に突出した嵌合部４３，４３が外周に設けられている。
【００２９】
そして、図１に示すように、幅の狭い扉（以下、「小扉」という。）１１の基端側は、軸受４，４によって一方の縦枠１に揺動自在に取り付けられている。また、幅の広い扉（以下、「大扉」という。）１２は、前記吊りレール３に吊り下げられる。そのため、大扉１２の上端面のほぼ中心に吊り車１４が取り付けられている。吊り車１４には、大扉１２の上端面に固定された軸１４ａと、この軸１４ａの上端に回動自在に取り付けられたローラ１４ｂが備えられている。
【００３０】
また、大扉１２には、ハンドル１５が取り付けられている。そして、このハンドル１５が押されまたは引かれると、吊り車１４の軸１４ａが回転軸となって、図２または図３に示すように、大扉１２が平面視で傾きながら小扉１１を押すように移動し、小扉１１を押すことにより、小扉１１が大扉１２と同じ側に平面視で傾く。完全に開扉されると、一方の縦枠１側で大扉１２と小扉１１とが重なり合った状態となる。
【００３１】
両扉１１，１２がこのように開閉するようにするため、両扉１１，１２に取り付けられた蝶番２０は、図４および図５に示すように、可動駒２１、転動体２２、そして連結体２４を備えている。
【００３２】
可動駒２１は、両側面２１ａ，２１ａおよび両相対面２１ｂ，２１ｂ（図面において上面と下面）が平行な直方体形状または立方体形状、または図示しないが、両側面２１ａ，２１ａがハ字形状で両相対面２１ｂ，２１ｂが平行な台形状とされている。また、両側面２１ａ，２１ａにはラックが形成されている。
【００３３】
そして、転動体２２は、前記可動駒２１の両側に配置される一対で構成されている。各転動体２２は、フランジ２２ｆと支持部２２ｇとをＴ字形に一体成形したもので、支持部２２ｇの先端に、前記可動駒２１の各側面２１ａ上を回転しながら両方向に移動する半円筒状の転動部２２ａが設けられている。
【００３４】
フランジ２２ｆの支持部２２ｇを突設していない側の面には、樋形状にされた扉１１，１２の対向側端面１０ａに接合するほぼ半円形の膨出部２２ｃ，２２ｃが上下に分離して設けられている。各膨出部２２ｃには、パネル体１０を固定するための小孔２２ｅ，２２ｅ…が形成され、ネジ３０によって転動体２２が扉１１，１２に固定される。
【００３５】
そして、各転動部２２ａの外周面には、前記可動駒２１の側面に形成されたラックと噛合するピニオンが形成され、各転動部２２ａの回転中心には連通孔２２ｈが形成されている。なお、可動駒２１が台形状に形成されているときは、転動部２２ａは、かさ歯車のように円錐台形状に形成される。
【００３６】
そして、連結体２４は、前記転動部２２ａを転動自在に連結するもので、中間部が可動駒２１の両相対面２１ｂ，２１ｂに当接し、両端部が可動駒２１の両側面２１ａ，２１ａから突出する一対の８字形状の連結板２４ａ，２４ａを備えている。連結板２４ａ，２４ａの中間部は、遮蔽体４０の端面形状と同じく括れており、中立位置の可動駒２１の両端が露出している。連結板２４ａ，２４ａの両端部は、転動体２２の膨出部２２ｃの周縁がわずかに食み出るようにフランジ部２２ｆと重なり合っている。
【００３７】
そして、連結板２４ａの両端部には、転動体２２の連通孔２２ｈと連通する連通孔２４ｈが形成されている。この両連通孔２２ｈ，２４ｈには、前記遮蔽体４０に突設された軸４２が挿入され、両連結板２４ａ，２４ａと転動体２２とが連結される。
【００３８】
また、遮蔽体４０と接合する側の連結板２４ａには、遮蔽体４０の嵌合部４３，４３に嵌入する円環状の嵌合部２４ｂ，２４ｂが設けられている。すなわち、連結板２４ａに設けられた嵌合部２４ｂ，２４ｂが遮蔽体４０の嵌合部４３，４３に嵌入することによっても、連結板２４ａと遮蔽体４０とが連結される。
【００３９】
そして、可動駒２１の相対面２１ｂと連結体２４の連結板２４ａとの各接合面には、スライド自在な嵌合部２３が設けられている。この嵌合部２３は、例えば、可動駒２１の各相対面２１ｂに形成された突条２３ａと、この突条２３ａを嵌入するように連結板２４ａに形成された溝２３ｂとによって構成されている。逆に、可動駒２１の各相対面２１ｂに溝２３ｂが形成され、連結体２４の連結板２４ａに突条２３ａが形成されてもよい。いずれにしても、突条２３ａと溝２３ｂは、可動駒２１の両相対面２１ｂ，２１ｂの中心軸または偏心して可動駒２１の移動方向に１本または複数本形成される。
【００４０】
そして、前記可動駒２１および転動体２２と連結板２４ａとの間には、開扉した扉１１，１２を自動的に閉扉させるためのバネ２５が備えられている。そのため、連結体２４には、バネ２５を収納するための収納部２４ｄが設けられている。収納部２４ｄは、連結板２４ａの内面に突設された突出部２４ｅによって環状に設けられている。したがって、バネ２５は、捩りバネが使用される。捩りバネの各端部は、転動体２２のフランジ部２２ｆと連結板２４ａの各端部に形成された小孔２２ｋ，２４ｋ内に挿入され、動きが規制されている。
【００４１】
ただし、図示しないが、収納部２４ｄは、可動駒２１の相対面２１ｂ，２１ｂとのみ対向するように直線状に設け、あるいは、転動体２２とのみ対向するようにＣ字形に設け、この収納部２４ｄ内に圧縮バネまたは引張りバネのようなバネを収納してもよい。このバネ２５は、各収容部２４ｄに直線状、あるいは円弧状直列に片側２本ずつ収納される。したがって、この場合のバネ２５は、片方の連結体２４の収納部２４ｄで合計４本、両方の連結体２４，２４の収納部２４ｄ，２４ｄで合計８本によって構成される。また、この場合において、各圧縮バネ２５，２５の間には、可動駒２１の相対面２１ｂ，２１ｂあるいは、転動体２２から突出した突片（図示せず）によって仕切られ、一方のバネのみ圧縮するようにされている。
【００４２】
このように構成された蝶番２０は、各転動体２２，２２が可動駒２１を支点とし、直線状に並んだ状態から斜交いの向きになった状態を経由して、対峙した状態とに向きが変えられる。ただし、蝶番２０はバネ２５が備えられていることによって、転動体２２は、力が加えられることによって向きが変えられ、力が加えられなくなることによって元の直線状に並んだ状態に自動的に戻る。
【００４３】
ここで、このような蝶番２０によって小扉１１と大扉１２とを連結した折戸のようなドアについて図６ないし図１１を参照しながら説明する。前記のように、各扉１１，１２の樋形状に形成された対向側端面１０ａに、蝶番２０の転動体２２に設けられた膨出部２２ｈがネジ３０によって固定され、さらに、遮蔽体４０の端面に突設された軸４２，４２が蝶番２０の両連結板２４ａ，２４ａの連通孔２４ｈ，２４ｈと転動部２２ａの連通孔２２ｈとに挿通され、かつ、遮蔽体４０の嵌合部４３と蝶番２０の連結体２４の一方の連結板２４ａに設けられた嵌合部２４ｂとが連結されることにより、遮蔽体４０が蝶番２０に連結され、両扉１１，１２間を塞ぐ状態とされている。
【００４４】
そして、図１および図２の実線に示すように、両扉１１，１２が閉扉しているときは、図６および図７に示すように、一対の転動体２２，２２と可動駒２１とが１列に並んだ状態となっている。また、各転動体２２，２２に設けられた転動部２２ａ，２２ａは、可動駒２１の各側面２１ａ，２１ａの中心に位置している。このとき、両扉１１，１２間は、遮蔽体４０によって塞がれているため、ドアの外側から内側が覗かれることはなく、また、臭いなどが漏出することがない。
【００４５】
そして、開扉するため、大扉１２に取り付けられたハンドル１５が押されると、図２の一点鎖線、図８および図９に示すように、大扉１２が吊り車１４の軸１４ａを回転軸として図面において時計方向に傾きつつ、一方の縦枠１の方へ移動する。このとき、大扉１２を固定した一方の転動体２２の転動部２２ａが可動駒２１の一方の側面２１ａ上を中心から一端側へ転動し、可動駒２１が移動する。
【００４６】
可動駒２１が移動することにより、他方の転動体２２の転動部２２ａが可動駒２１の他方の側面２１ａ上を中心から一端側へ転動する。すると、この他方の転動体２２が図面において反時計方向に傾き、小扉１１が一方の縦枠１に取り付けられた軸受４，４を回転軸として図面において反時計方向に傾く。
【００４７】
このとき、両扉１１，１２の対向側端面１０ａ，１０ａの各端縁が遮蔽体４０の括れている中間部分および連結体２４の括れている中間部分内に食い込むようになる。また、バネ２５は、バネ力に抗して圧縮される。この開扉している最中において、両扉１１，１２間は、遮蔽体４０によって塞がれているため、指などが巻き込まれることがない。
【００４８】
このようにして、一対の転動体２２，２２に固定された大扉１２と小扉１１は、図２の一点鎖線、図８および図９に示すように、屈曲し、一方の縦枠１側に近寄る。さらに、ハンドル１５が押されると、図２の二点鎖線、図１０および図１１に示すように、大扉１２と小扉１１とが重ね合わされ、完全に開扉される。
【００４９】
そして、ハンドル１５が押されなくなると、圧縮されたバネ２５が元の状態になろうとする復元力により、大扉１２を固定した一方の転動体２２の転動部２２ａが可動駒２１の一方の側面２１ａ上を一端側から中心へ転動する。同時に、小扉１１を固定した他方の転動体２２の転動部２２ａが可動駒２１の他方の側面２１ａ上を一端側から中心へ転動する。このようにして、一対の転動体２２，２２に固定された大扉１２と小扉１１は、図２の一点鎖線で示したように屈曲した状態から図２の実線で示したような直線の状態となって閉扉される。
【００５０】
この一連の動作において、可動駒２１の側面２１ａに形成されたラックと他方の転動体２２の転動部２２ａの外周面に形成されたピニオンとが噛合していることから、この転動部２２ａは、可動駒２１上を滑ることなく転動し、両扉１１，１２はスムーズに開閉される。
【００５１】
加えて、一方の転動体２２の転動部２２ａから可動駒２１に加えられる荷重は、嵌合部２３が緩衝材となり、小さくされて他方の転動体２２へ加えられる。すなわち、可動駒２１の相対面２１ｂ，２１ｂに形成された突条２３ａ，２３ａが連結体２４の連結板２４ａ，２４ａに形成された溝２４ｃ，２４ｃに嵌入していることから、一方の転動体２２からの荷重が連結体２４にも加えられ、この荷重が小さくされて他方の転動体２２の転動部２２ａに加えられる。よって、ドアが長期間、開閉されても、ラックやピニオンは破損することがない。
【００５２】
また、このドアは、ハンドル１５を引くことによって、前記と反対方向にも開扉することができる。すなわち、ハンドル１５を引くと、図３の一点鎖線に示すように、大扉１２が吊り車１４の軸を回転軸として図面において反時計方向に傾きつつ、一方の縦枠１の方へ移動する。このとき、大扉１２を固定した一方の転動体２２の一方の転動部２２ａが可動駒２１の一方の側面２１ａ上を中心から他端側へ転動し、可動駒２１が移動する。
【００５３】
可動駒２１が移動することにより、他方の転動体２２の転動部２２ａが可動駒２１の他方の面上を中心から他端側へ転動する。すると、図６および図７において、この他方の転動部２２ａを設けた他方の転動体２２が、時計方向に傾き、小扉１１が一方の縦枠１に取り付けられた軸受４，４を回転軸として図面において時計方向に傾く。
【００５４】
さらにハンドル１５が引かれると、一対の転動体２２，２２に固定された大扉１２と小扉１１は、図３の二点鎖線に示すように重ね合わされた状態となって開扉される。そして、ハンドル１５を押すことによって、蝶番２０が前記と逆に動き、閉扉することができる。
【００５５】
この反対方向への開扉に際しても、両扉１１，１２間は、遮蔽体４０によって塞がれた状態が継続され、指などが巻き込まれることがない。また、ハンドル１５が引かれなくなることにより、バネ２５のバネ力でもって、自動的に閉扉する。
【００５６】
このように、この実施形態におけるドアは、両扉１１，１２が遮蔽体４０によって完全に閉扉された状態から両方向に開閉することができる。しかも、大扉１２と小扉１１とは完全に重なり合った状態とすることができる。したがって、このドアが例えば病院のトイレで採用されると、車椅子の使用者がトイレ内で倒れても救出することができる。
【００５７】
なお、本発明は、前記実施の形態に限定することなく、特許請求の範囲に記載された発明特定事項の範囲内において種々変更することができる。例えば、蝶番２０は、可動駒２１の両側面２１ａと転動部２２ａの外周面をゴムや粗面その他の摩擦係数の大きな材質とすることにより、可動駒２１の両面にラックを形成せず、転動部２２ａの外周面にラックを形成しないようにしてもよい。また、嵌合部２３は、使用状況に応じて設けなくてもよい。
【００５８】
そして、蝶番２０は、バネ２５を備えることなく、手動によって閉扉するようにしてもよい。さらに、蝶番２０の連結体２４の軸４２，４２は、遮蔽体４０に突設されたものではなく、両端部が回動軸を貫通するコ字形のシャフトなどによって構成し、このシャフトと軸４２，４２とが直列に連結されてもよい。さらに、蝶番２０は、フランジ２２ｆと支持部２２ｇとをＴ字形に一体成形したものではなく、例えば、扉１１，１２の対向側端面１０ａに接合する半円柱状の膨出部２２ｈを有していれば、五角形状のフレームによって構成してもよい。
【００５９】
また、ドアは、２枚の扉１１，１２によって構成される折戸に限らず、両開きの１枚の扉であってもよい。この場合は、背景技術で説明したフレーム１０２がパネル体１０に該当する。そして、遮蔽体４０は、一対の円筒体または円柱体４１，４１を側面で接合したものに限らず、一対のパネル体１０，１０の樋形状の対向側端面１０ａ，１０ａに嵌る一対の円弧形または半円柱体とこれらを連結する帯状板とによって構成してもよい。
【産業上の利用可能性】
【００６０】
本発明に係るドアは、住宅や店舗などの玄関、風呂場やトイレなどの出入口、電話ボックス、ガレージなどに有効に使用することができる。
【図面の簡単な説明】
【００６１】
【図１】本発明に係るドアの一実施形態を示す一部断面斜視図である。
【図２】本発明に係るドアの一実施形態を示す一部断面平面図である。
【図３】本発明に係るドアの一実施形態を示す一部断面平面図である。
【図４】本発明に係るドアの一実施形態を示す分解斜視図である。
【図５】本発明に係るドアを構成している蝶番の一実施形態を示す斜視図である。
【図６】本発明に係るドアの一実施形態を示す要部拡大斜視図である。
【図７】本発明に係るドアの一実施形態を示す要部拡大平面図である。
【図８】本発明に係るドアの一実施形態を示す要部拡大斜視図である。
【図９】本発明に係るドアの一実施形態を示す要部拡大平面図である。
【図１０】本発明に係るドアの一実施形態を示す要部拡大斜視図である。
【図１１】本発明に係るドアの一実施形態を示す要部拡大平面図である。
【図１２】従来のドアを含む正面図である。
【図１３】従来の蝶番を含むドアの一部断面平面である。
【図１４】従来のドアの断面平面である。
【符号の説明】
【００６２】
１０……パネル体
１０ａ…対向側端面
１１……小扉（パネル体）
１２……大扉（パネル体）
２０……蝶番
２１……可動駒
２１ａ…側面
２２……転動体
２３……嵌合部
２４……連結体
４０……遮蔽体
４１……円筒体または円柱体
４２……軸
【図１】
0004769643.tif 000002
【図２】
0004769643.tif 000003
【図３】
0004769643.tif 000004
【図４】
0004769643.tif 000005
【図５】
0004769643.tif 000006
【図６】
0004769643.tif 000007
【図７】
0004769643.tif 000008
【図８】
0004769643.tif 000009
【図９】
0004769643.tif 000010
【図１０】
0004769643.tif 000011
【図１１】
0004769643.tif 000012
【図１２】
0004769643.tif 000013
【図１３】
0004769643.tif 000014
【図１４】
0004769643.tif 000015